(57)【特許請求の範囲】
【請求項１】
プレハブ建築用の壁体穴あけ位置検査装置であって、吸気箱を含み、前記吸気箱の前側端面には固定軸が固定的に設置され、前記固定軸には回転可能な二つの揺動アームが配列され、前側の前記揺動アームの中には前に開口した連結溝が設置され、前記連結溝の中にはロック装置が設置され、前記ロック装置は前記固定軸に設置された動かし輪と、前記動かし輪と当接できる引掛り棒と、前記連結溝の中にスライド可能に連結され且つ前記引掛り棒と固定的に連結された円盤を含み、二つの前記揺動アームが異なる角度に位置する時、前記動かし輪と前記引掛り棒とがスライド可能に接触しており、前者の前記揺動アームはロックされることができ、二つの前記揺動アームの下端にはそれぞれバランス棒が固定的に設置され、前記バランス棒の左右両端にはそれぞれ目盛り箱とつり合い重りブロックが設置され、前記目盛り箱と前記つり合い重りブロックとの間には照射箱が固定的に設置され、前記照射箱の中には赤外線を発射できる光源部品が設置され、前記光源部品は、前記照射箱の中に設置され且つ下方に開口した光源空間と、前記光源空間の中に設置された回路スタンドと、前記回路スタンドの下端に設置されたレーザ光線ライトとによって穴をあける位置のマークができ、
前記光源空間の左端にはスライド溝が連通するように設置され、前記スライド溝の中には光源部品に制御される遮光装置が設置され、前記遮光装置は前記レーザ光線ライトの光線の直射距離を縮めるすりガラスを含み、前記目盛り箱の中には前記スライド溝と連通した伝動空間が設置され、前記伝動空間の中には前記遮光装置を制御できる選択スイッチが設置され、前記吸気箱の中には吸気空間が設置され、前記吸気空間の中には大気圧によって壁面に設備を固定する吸着装置が設置されており、
二つの前記揺動アームが水平面に対して鉛直に置かれ、定位時に後ろ側の前記揺動アームが重力により鉛直になり、鉛直ポイントの位置を確定でき、手動で前記ロック装置を引き動かして前側の揺動アームを回し、両者間の角度を九十度にすると、前側の前記揺動アームは地球における該位置の水平面に対し平行となる位置を確認でき、
前記ロック装置は前記連結溝の内壁に環状に連通するように設置されたロック溝を含み、前記ロック溝と前記円盤とがスライド可能に連結され、前記円盤と前記ロック溝の後端内壁との間には引張ばねが連結され、前記円盤の前側端面にはハンドルが設置されており、
前記光源部品は前記光源空間の頂端内壁とスライド可能に連結された昇降棒を含み、前記昇降棒の下端には前記回路スタンドと当接した電池が設置されることで、前記電池と前記回路スタンドと前記レーザ光線ライトとが閉回路になって通電し、前記レーザ光線ライトが光り、前記昇降棒の上端にはボタンが固定的に設置されており、
前記遮光装置は前記スライド溝の底端の内壁に固定的に連結された下当接板を含み、前記下当接板には前記すりガラスと固定的に連結されたスライド棒がスライド可能に連結され、前記スライド棒と前記照射箱の左側端面との間には阻みばねが連結され、前記スライド溝の頂端内壁には前記ボタンと固定的に連結された中空柱がスライド可能に連結され、前記中空柱の中には前記スライド棒とスライド可能に連結された上当接板がスライド可能に連結され、前記中空柱の下端には前記スライド溝の中に位置する円錐環が設置され、前記スライド溝の底端内壁には前記円錐環と当接できる前後対称のスライド板がスライド可能に連結され、前記スライド板と前記スライド溝の内壁との間には復帰ばねが連結され、前記スライド板には前記スライド棒と当接できるロック爪が設置されており、
前記選択スイッチは、前記伝動空間の内壁と回転可能に連結され且つ前記伝動空間の前側内壁の外部まで前方へ延びた伝動軸を含み、前記伝動軸には前記スライド棒と当接した曲率輪が設置され、前記曲率輪が時計回り方向の直径がだんだん大きくなり、
前記吸着装置は前記吸気箱の中に設置された吸気空間を含み、前記吸気空間の後端内壁には密封管が設置され、前記密封管の後端には吸着盤が設置され、前記密封管の中にはピストンがスライド可能に連結され、前記密封管の前側内壁には線穴が連通するように設置され、前記吸気空間の前側内壁には旋転軸が回転可能に連結され、前記旋転軸にはリールが設置され、前記リールには前記線穴によって前記ピストンと固定的に連結された引縄が巻きつけられ、前記旋転軸には前記リールの前側に位置する連結棒が設置され、前記吸気空間の外側には前記連結棒とスライド可能に連結された旋転ロックが設置されており、
前記旋転ロックは前記連結棒とスライド可能に連結された環状のノブを含み、前記ノブの中には上下対称の溝が形成され、前記溝の後ろ側内壁と前記連結棒との間には圧縮ばねが連結され、前記吸気空間の外側端面には環状溝が設置され、前記環状溝の後ろ側内壁には環状に配列された三十六個のロック溝が連通するように設置され、前記ロック溝の中には前記ノブと固定的に連結された固定ピンがスライド可能に連結されていることを特徴とするプレハブ建築用の壁体穴あけ位置検査装置。
【発明の詳細な説明】
【技術分野】
【０００１】
本願発明は壁面加工定位技術分野に関し、具体的にはプレハブ建築用の壁体穴あけ位置検査装置に関する。
【背景技術】
【０００２】
壁体に設備を装着する時、一般は電動ドリルで壁に穿孔する。穿孔前に穴の基準位置を確かめるには、ルーラーで測量するのは伝統的なやり方で、横向きと縦向きのサイズにより穿孔位置を確かめるのである。また、測量過程において、ルーラーはちゃんと水平又は鉛直状態を保っているかどうかは、肉眼で判断するしかないため、誤差が起こりやすい。水平ルーラーを使っても、やはり肉眼による判断は必要であるが、微細な傾斜は判別できない。また、位置を確定した後、ルーラーを取った後穿孔に便利を与えるため、壁にマークする必要がある。操作が複雑で速度が遅く、効率が低い。本願発明は上記問題を解決できる
【先行技術文献】
【特許文献】
【０００３】
【特許文献１】中国特許出願公開第１０５４５７２８４号明細書
【発明の概要】
【発明が解決しようとする課題】
【０００４】
測量過程において、ルーラーが水平又は鉛直位置にあるかどうかは、肉眼で確認する必要があり、誤差がある。
【課題を解決するための手段】
【０００５】
プレハブ建築用の壁体穴あけ位置検査装置であって、吸気箱を含み、前記吸気箱の前側端面には固定軸が固定的に設置され、前記固定軸には回転可能な二つの揺動アームが配列され、前側の前記揺動アームの中には前に開口した連結溝が設置され、前記連結溝の中にはロック装置が設置され、前記ロック装置は前記固定軸に設置された動かし輪と、前記動かし輪と当接できる引掛り棒と、前記連結溝の中にスライド可能に連結され且つ前記引掛り棒と固定的に連結された円盤を含み、二つの前記揺動アームが異なる角度に位置する時、前記動かし輪と前記引掛り棒とがスライド可能に接触しており、前者の前記揺動アームはロックされることができ、二つの前記揺動アームの下端にはそれぞれバランス棒が固定的に設置され、前記バランス棒の左右両端にはそれぞれ目盛り箱とつり合い重りブロックが設置され、前記目盛り箱と前記つり合い重りブロックとの間には照射箱が固定的に設置され、前記照射箱の中には赤外線を発射できる光源部品が設置され、前記光源部品は、前記照射箱の中に設置され且つ下方に開口した光源空間と、前記光源空間の中に設置された回路スタンドと、前記回路スタンドの下端に設置されたレーザ光線ライトとによって穴をあける位置のマークができ、前記光源空間の左端にはスライド溝が連通するように設置され、前記スライド溝の中には光源部品に制御される遮光装置が設置され、前記遮光装置は前記レーザ光線ライトの光線の直射距離を縮めるすりガラスを含み、前記目盛り箱の中には前記スライド溝と連通した伝動空間が設置され、前記伝動空間の中には前記遮光装置を制御できる選択スイッチが設置され、前記吸気箱の中には吸気空間が設置され、前記吸気空間の中には大気圧によって壁面に設備を固定する吸着装置が設置されている。
【０００６】
有益的に、二つの前記揺動アームが水平面に対して鉛直に置かれ、定位時に後ろ側の前記揺動アームが重力により鉛直になり、鉛直ポイントの位置を確定でき、手動で前記ロック装置を引き動かして前側の揺動アームを回し、両者間の角度を九十度にすると、前側の前記揺動アームは地球における該位置の水平面に対し平行となる位置を確認できる。
【０００７】
前記ロック装置は前記連結溝の内壁に環状に連通するように設置されたロック溝を含み、前記ロック溝と前記円盤とがスライド可能に連結され、前記円盤と前記ロック溝の後端内壁との間には引張ばねが連結され、前記円盤の前側端面にはハンドルが設置されている。
【０００８】
有益的に、前記光源部品は前記光源空間の頂端内壁とスライド可能に連結された昇降棒を含み、前記昇降棒の下端には前記回路スタンドと当接した電池が設置されることで、前記電池と前記回路スタンドと前記レーザ光線ライトとが閉回路になって通電し、前記レーザ光線ライトが光り、前記昇降棒の上端にはボタンが固定的に設置されている。
【０００９】
有益的に、前記遮光装置は前記スライド溝の底端の内壁に固定的に連結された下当接板を含み、前記下当接板には前記すりガラスと固定的に連結されたスライド棒がスライド可能に連結され、前記スライド棒と前記照射箱の左側端面との間には阻みばねが連結され、前記スライド溝の頂端内壁には前記ボタンと固定的に連結された中空柱がスライド可能に連結され、前記中空柱の中には前記スライド棒とスライド可能に連結された上当接板がスライド可能に連結され、前記中空柱の下端には前記スライド溝の中に位置する円錐環が設置され、前記スライド溝の底端内壁には前記円錐環と当接できる前後対称のスライド板がスライド可能に連結され、前記スライド板と前記スライド溝の内壁との間には復帰ばねが連結され、前記スライド板には前記スライド棒と当接できるロック爪が設置されている。
【００１０】
前記選択スイッチは、前記伝動空間の内壁と回転可能に連結され且つ前記伝動空間の前側内壁の外部まで前方へ延びた伝動軸を含み、前記伝動軸には前記スライド棒と当接した曲率輪が設置され、前記曲率輪が時計回り方向の直径がだんだん大きくなる。
【００１１】
有益的に、前記吸着装置は前記吸気箱の中に設置された吸気空間を含み、前記吸気空間の後端内壁には密封管が設置され、前記密封管の後端には吸着盤が設置され、前記密封管の中にはピストンがスライド可能に連結され、前記密封管の前側内壁には線穴が連通するように設置され、前記吸気空間の前側内壁には旋転軸が回転可能に連結され、前記旋転軸にはリールが設置され、前記リールには前記線穴によって前記ピストンと固定的に連結された引縄が巻きつけられ、前記旋転軸には前記リールの前側に位置する連結棒が設置され、前記吸気空間の外側には前記連結棒とスライド可能に連結された旋転ロックが設置されている。
【００１２】
前記旋転ロックは前記連結棒とスライド可能に連結された環状のノブを含み、前記ノブの中には上下対称の溝が形成され、前記溝の後ろ側内壁と前記連結棒との間には圧縮ばねが連結され、前記吸気空間の外側端面には環状溝が設置され、前記環状溝の後ろ側内壁には環状に配列された三十六個のロック溝が連通するように設置され、前記ロック溝の中には前記ノブと固定的に連結された固定ピンがスライド可能に連結されている。
【発明の効果】
【００１３】
本願発明の有益効果は：本願発明は光線を遮たら照射距離を制限できる原理を使って、曲率輪によって光線直射を干渉する厚さを調整し、光線の末端の位置を調整することで示度を精確にし、加工の精確を保証し、吸気ポンプ式のピストン構造を採用し、大気圧で設備を壁面に吸い付け、解体に便利を与え、重心が鉛直に下方に向くという原理を、鉛直方向を判断する根拠として、肉眼の観察をいらず、誤差を避け、ロックできる揺動アーム構造を採用し、鉛直線と直角を形成して水平方向を決定し、精確度を上げる。
【図面の簡単な説明】
【００１４】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成図
【図２】図２は図１におけるＡ―Ａ方向の構成図
【図３】図３は図１におけるＢ―Ｂ方向の構成図
【図４】図４は図１におけるＣ―Ｃ方向の構成図
【図５】図５は図２におけるＤ―Ｄ方向の構成図
【発明を実施するための形態】
【００１６】
プレハブ建築用の壁体穴あけ位置検査装置であって、主に壁に装着作業を行う時に応用され、下記に明細書図面を合わせて説明を行う。
【００１７】
プレハブ建築用の壁体穴あけ位置検査装置であって、吸気箱１１を含み、前記吸気箱１１の前側端面には固定軸１３が固定的に設置され、前記固定軸１３には回転可能な二つの揺動アーム１２が配列され、前側の前記揺動アーム１２の中には前に開口した連結溝５７が設置され、前記連結溝５７の中にはロック装置９０１が設置され、前記ロック装置９０１は前記固定軸１３に設置された動かし輪５１と、前記動かし輪５１と当接できる引掛り棒５２と、前記連結溝５７の中にスライド可能に連結され且つ前記引掛り棒５２と固定的に連結された円盤５５を含み、二つの前記揺動アーム１２が異なる角度に位置する時、前記動かし輪５１と前記引掛り棒５２とがスライド可能に接触しており、前者の前記揺動アーム１２はロックされることができ、二つの前記揺動アーム１２の下端にはそれぞれバランス棒１６が固定的に設置され、前記バランス棒１６の左右両端にはそれぞれ目盛り箱１７とつり合い重りブロック２９が設置され、前記目盛り箱１７と前記つり合い重りブロック２９との間には照射箱３４が固定的に設置され、前記照射箱３４の中には赤外線を発射できる光源部品９０２が設置され、前記光源部品９０２は、前記照射箱３４の中に設置され且つ下方に開口した光源空間３３と、前記光源空間３３の中に設置された回路スタンド２８と、前記回路スタンド２８の下端に設置されたレーザ光線ライト２７とによって穴をあける位置のマークができ、前記光源空間３３の左端にはスライド溝２３が連通するように設置され、前記スライド溝２３の中には光源部品９０２に制御される遮光装置９０３が設置され、前記遮光装置９０３は前記レーザ光線ライト２７の光線の直射距離を縮めるすりガラス２６を含み、前記目盛り箱１７の中には前記スライド溝２３と連通した伝動空間１８が設置され、前記伝動空間１８の中には前記遮光装置９０３を制御できる選択スイッチ９０４が設置され、前記吸気箱１１の中には吸気空間４１が設置され、前記吸気空間４１の中には大気圧によって壁面に設備を固定する吸着装置９０５が設置されている。
【００１８】
有益的には、二つの前記揺動アーム１２が水平面に対して鉛直に置かれ、定位時に後ろ側の前記揺動アーム１２が重力により鉛直になり、鉛直ポイントの位置を確定でき、手動で前記ロック装置９０１を引き動かして前側の揺動アーム１２を回し、両者間の角度を九十度にすると、前側の前記揺動アーム１２は地球における該位置の水平面に対し平行となる位置を確認できる。
【００１９】
前記ロック装置９０１は前記連結溝５７の内壁に環状に連通するように設置されたロック溝５４を含み、前記ロック溝５４と前記円盤５５とがスライド可能に連結され、前記円盤５５と前記ロック溝５４の後端内壁との間には引張ばね５６が連結され、前記円盤５５の前側端面にはハンドル５３が設置され、使用に便利である。
【００２０】
前記光源部品９０２は前記光源空間３３の頂端内壁とスライド可能に連結された昇降棒３５を含み、前記昇降棒３５の下端には前記回路スタンド２８と当接した電池３２が設置されることで、前記電池３２と前記回路スタンド２８と前記レーザ光線ライト２７とが閉回路になって通電し、前記レーザ光線ライト２７が光り、前記昇降棒３５の上端にはボタン１４が固定的に設置されている。
【００２１】
前記遮光装置９０３は前記スライド溝２３の底端の内壁に固定的に連結された下当接板２４を含み、前記下当接板２４には前記すりガラス２６と固定的に連結されたスライド棒２１がスライド可能に連結され、前記スライド棒２１と前記照射箱３４の左側端面との間には阻みばね２２が連結され、前記スライド溝２３の頂端内壁には前記ボタン１４と固定的に連結された中空柱１５がスライド可能に連結され、前記中空柱１５の中には前記スライド棒２１とスライド可能に連結された上当接板３０がスライド可能に連結され、前記中空柱１５の下端には前記スライド溝２３の中に位置する円錐環３１が設置され、前記スライド溝２３の底端内壁には前記円錐環３１と当接できる前後対称のスライド板５８がスライド可能に連結され、前記スライド板５８と前記スライド溝２３の内壁との間には復帰ばね６０が連結され、前記スライド板５８には前記スライド棒２１と当接できるロック爪５９が設置され、ボタン１４によって前記光源部品９０２を同期に連動させて前記遮光装置９０３をスライドさせる。
【００２２】
前記選択スイッチ９０４は、前記伝動空間１８の内壁と回転可能に連結され且つ前記伝動空間１８の前側内壁の外部まで前方へ延びた伝動軸２０を含み、前記伝動軸２０には前記スライド棒２１と当接した曲率輪１９が設置され、前記曲率輪１９が時計回り方向の直径がだんだん大きくなるため、前記スライド棒２１を右方に押し動かした距離も異なり、前記伝動軸２０には前記目盛り箱１７の外側に位置する回転輪６１が設置されている。
【００２３】
前記吸着装置９０５は前記吸気箱１１の中に設置された吸気空間４１を含み、前記吸気空間４１の後端内壁には密封管３６が設置され、前記密封管３６の後端には吸着盤４０が設置され、前記密封管３６の中にはピストン３９がスライド可能に連結され、前記密封管３６の前側内壁には線穴３７が連通するように設置され、前記吸気空間４１の前側内壁には旋転軸５０が回転可能に連結され、前記旋転軸５０にはリール４９が設置され、前記リール４９には前記線穴３７によって前記ピストン３９と固定的に連結された引縄３８が巻きつけられ、前記旋転軸５０には前記リール４９の前側に位置する連結棒４６が設置され、前記吸気空間４１の外側には前記連結棒４６とスライド可能に連結された旋転ロック８００が設置されている。
【００２４】
前記旋転ロック８００は前記連結棒４６とスライド可能に連結された環状のノブ４２を含み、前記ノブ４２の中には上下対称の溝４７が形成され、前記溝４７の後ろ側内壁と前記連結棒４６との間には圧縮ばね４５が連結され、前記吸気空間４１の外側端面には環状溝４４が設置され、前記環状溝４４の後ろ側内壁には環状に配列された三十六個のロック溝４３が連通するように設置され、前記ロック溝４３の中には前記ノブ４２と固定的に連結された固定ピン６２がスライド可能に連結されている。
【００２５】
下記に図１〜５をあわせて本願発明の使用手順を説明する：
設備を固定する時、吸着盤４０を壁面に押し付け、手動でノブ４２を前方に引き動かし、固定ピン６２を環状溝４４の中にスライドさせて圧縮バネ４５に弾性エネルギーを蓄積させることで、連結棒４６を回転させ、そして手動でノブ４２を回して順次に連結棒４６と、旋転軸５０とによってリール４９を回し、リール４９が引縄３８によってピストン３９を前方に移動させ、吸着盤４０と壁面とが形成した密封空間の体積を広げ、圧力を弱め、大気圧で吸気箱１１を壁面に固定し、ノブ４２を放し、この時ノブ４２が、圧縮バネ４５の弾性回復のため、固定ピン６２をロック溝４３の中に押す。
鉛直ポイントの位置を選ぶ時、前記ボタン１４を下方に押し、中空柱１５と昇降棒３５とを同期に下方に移動連動させ、昇降棒３５は電池３２を押して回路スタンド２８と当接させ、回路が通電してレーザ光線ライト２７を灯し、中空柱１５が円錐環３１を押し動かしてスライド板５８と当接させ、スライド板５８を対称中心から離れるように移動させ、それによってロック爪５９がスライド棒２１と当接しなくなり、製図の加工位置に基づき、回転輪６１を回して伝動軸２０によって曲率輪１９を反時計回りに回転連動させ、それによってスライド棒２１が押されてだんだん右方に移動し、すりガラス２６の厚さ部品の増加により、光線の射出した直線距離が縮まり、回転輪６１と目盛り箱１７の前側端面の目盛りによりマークポイントの位置をリアルタイムに観察し、後ろ側の揺動アーム１２が重力により鉛直になり、光線のマークしたポイントが鉛直点に位置する。
水平ポイントの位置を選ぶ時、手動でハンドル５３を引き動かし、引掛り棒５２が動かし輪５１と当接しなくなり、そして前側の揺動アーム１２を回転させ、前側の揺動アーム１２と後ろ側の揺動アーム１２との間の角度が九十度になった時、該光線ポイントが水平ポイントである。
【００２６】
上記方式により、本分野の当業者は本願発明の範囲内に作動パターンにより各種な変化を実行できる。
【要約】
【課題】本発明はプレハブ建築用の壁体定位装置を開示した。
【解決手段】吸気箱を含み、前記吸気箱の前側端面には固定軸が固定的に設置され、前記固定軸には回転可能な二つの揺動アームが配列され、前側の前記揺動アームの中には前に開口した連結溝が設置され、前記連結溝の中にはロック装置が設置され、前記ロック装置は前記固定軸に設置された溝輪と、前記溝輪と当接できる引掛り棒と、前記連結溝の中にスライド可能に連結され且つ前記引掛り棒と固定的に連結された円盤を含み、二つの前記揺動アームが異なる角度に位置する時、前者の前記揺動アームはロックされることができ、前記揺動アームの下端にはバランス棒が固定的に設置され、前記バランス棒の左右両端にはそれぞれ目盛り箱とつり合い重りブロックが設置され、前記目盛り箱と前記つり合い重りブロックとの間には照射箱が固定的に設置される。
【選択図】図１【図１】
0006754061.tif 000002
【図２】
0006754061.tif 000003
【図３】
0006754061.tif 000004
【図４】
0006754061.tif 000005
【図５】
0006754061.tif 000006